(57)【要約】      （修正有）【課題】既存の６体収容型納骨壇を改良して８体収容型にすることにより、４世代に亘る骨壺の収容スペースを確保すると共に、安定的に花立を設置することができる納骨壇を提供する。【解決手段】立設したときの高さが横幅の４倍以上となる箱体１と、前記箱体の内部を上段、中段及び下段それぞれの部屋に区分する２枚の棚板６と、上段の部屋に両開き扉７が設置され、中段の部屋及び下段の部屋それぞれに片開き扉が設置された納骨壇１０において、棚板それぞれは、厚みの中央部分が所定の深さまで削り取られて溝が形成されたものであり、溝に嵌合され、進退自在な２枚の引出板を備え、該引出板のうちの、何れか一方は、該溝に押し込んだときは隠れ、引き出したときは現れて所定の花立を着脱自在に嵌め込む穴が形成されている。【選択図】図１
0003221709.tif 000002
【実用新案登録請求の範囲】
【請求項１】
天板、側板、背面板及び底板で構成され、立設したときの高さが横幅の４倍以上となる箱体と、前記箱体の内部を上段、中段及び下段それぞれの部屋に区分する２枚の棚板と、前記上段の部屋に両開き扉が設置され、前記中段の部屋及び前記下段の部屋それぞれに片開き扉が設置された納骨壇において、
前記棚板それぞれは、厚みの中央部分が所定の深さまで削り取られて溝が形成されたものであり、
前記溝に嵌合され、進退自在な２枚の引出板を備え、該引出板のうちの、何れか一方は、該溝に押し込んだときは隠れ、引き出したときは現れる位置に、所定の花立を着脱自在に嵌め込む２つの穴が形成されたことを特徴とする納骨壇。
【請求項２】
前記上段の部屋は、仏壇であり、前記中段及び下段の部屋は、納骨室であって、
前記下段の部屋は、さらに、２枚の仕切り板で仕切られ、前記納骨室は、8体の骨壺が収容自在であることを特徴とする請求項１記載の納骨壇。
【考案の詳細な説明】
【技術分野】
【０００１】
本考案は、本尊を祀った厨子と、複数の骨壺を収納する納骨室とが一体化され、納骨堂に設置されることにより、家ごとに直に参拝することが可能な納骨壇に関する。
【背景技術】
【０００２】
我が国は、急速に高齢化が進む一方、子供がおらず、将来墓守をしてくれる後継者のいない高齢者や独居老人が増えている。また、故郷にはお墓があるものの、上京した都市部においては墓地の入手が困難であることや、墓の建造費用が高額なため、墓を持てない家族が増加している。
そこで、ビル内に多数の骨壺収容スペースを設け、本尊や供養塔などを共通にすることで、多くの家族に安価に納骨スペースを提供する納骨堂が提案されている。
例えば、仏像形体を有する納骨座本体と、納骨座本体の外部に遺骨を載置して経を唱える受座と、仏像本体の底部に多数の遺骨を収納保管する納骨収納部を設けた納骨座（特許文献１）、共用墓石と、墓碑銘板を取付けた複数の遺骨収納厨子と、そのうちの１つを選択することにより自動搬送された遺骨を所定の場所で窓越しに参拝する自動搬送式納骨堂（特許文献２）などがある。
しかし、納骨堂に参拝する際に、お花をお供えしようとしても花立を安定して設置することができずに不愉快な思いをしたり、不便を感じて不満を漏らす人が多い。また、一家で三世代の骨壺を収容できるスペースしか準備されていないため、故郷に残してきた先祖伝来のお墓から遺骨を移送したくても実現することが出来ずに困っている人達もいる。
一方、これまでの埋葬行事にこだわらず、遺骨を保管する慰霊の場を自宅に設け、故人をより身近な場所で偲ぶ方法が導入され、そのための家庭用納骨壇が提案されている（特許文献３、４）。
しかしながら、住宅事情により納骨壇を自宅に置くことができない場合や後継者がいないため、寺が管理する納骨堂に遺骨を預けた方が安心だと考えている人達も数多く存在している。
【先行技術文献】
【特許文献】
【０００３】
【特許文献１】特開平７−６２９３０号公報
【特許文献２】特開２０１７−０２９３０号公報
【特許文献３】特開２０１６−２０９７５０号公報
【特許文献４】実用新案登録第３１９７８４８号公報
【考案の概要】
【考案が解決しようとする課題】
【０００４】
本考案は、上記事情に鑑み、御本尊を祀った厨子と納骨室とを一体化して家毎に個別に参拝ができる形式を踏襲したうえで、既存の６体収容型納骨壇を改良して８体収容型にすることにより、４世代に亘る骨壺の収容スペースを確保すると共に、安定的に花立を設置することができる納骨壇を提供することを目的とする。
【課題を解決するための手段】
【０００５】
本考案の納骨壇は、天板、側板、背面板及び底板で構成され、立設したときの高さが横幅の４倍以上となる箱体体と、上記箱体体の内部を上段、中段及び下段それぞれの部屋に区分する２枚の棚板と、上記上段の部屋に両開き扉が設置され、上記中段の部屋及び上記下段の部屋それぞれに片開き扉が設置された納骨壇において、上記棚板それぞれは、厚みの中央部分が所定の深さまで削り取られて溝が形成されたものであり、上記溝に嵌合され、進退自在な２枚の引出板を備え、該引出板のうちの、何れか一方は、該溝に押し込んだときは隠れ、引き出したときは現れる位置に、所定の花立を着脱自在に嵌め込む穴が形成されたことを特徴とする。
このようにすれば、御本尊を祀った厨子と複数の骨壺を収納可能な納骨室とが一体化され、家ごとに個別に参拝できるうえ、参拝時には、引出しを引き出して、花立を安定的に設置したり、その高さを変えたりすることやお供物をお供えすることができるので、不快な思いや不便な思いをすることがなくなり、心安らかに父母や先祖を供養することができる。
そして、上記上段の部屋は、仏壇であり、上記中段及び下段の部屋は、納骨室であって、上記下段の部屋は、さらに、２枚の仕切り板で仕切られ、上記納骨室は、8体の骨壺が収容自在であることから、先祖伝来のお墓から遺骨を移送することができる。
また、上記両開き扉は、家毎に管理される仏壇用の鍵で施錠する鍵穴が設けられ、
上記片開き扉それぞれは、寺で管理される納骨室用の鍵で施錠する鍵穴が設けられたり、上記佛壇は、上記両開き扉の開閉に応じて自動点滅する輪灯が設けられ、上記片開き扉それぞれには、家名が記載された名札、若しくは一連の番号が付された銘板を設けることができる。
このようにすれば、各家の納骨壇が見つけやすい上、骨壺の管理や仏壇の管理ができて、安心である。また、輪灯が自動点滅するので、扉を開くと仏壇が明るく照らされ、清々しい気持ちで参拝することができる。
【考案の効果】
【０００６】
本考案の納骨壇によれば、御本尊を祀った逗子と８体の骨壺を収納可能な納骨室とが一体化され、引出しを引き出せば、花立を安定的に設置して花を生けることや供物をそなえることができるうえ、花立の高さも変えられるので、心安らかな気持ちで、亡き父母や先祖等を偲んだり、経を唱えたりすることができる。また、４世代にわたる骨壺が収容できるので、先祖伝来のお墓から遺骨を移送したい場合にも対応することができる。
【図面の簡単な説明】
【０００７】
【図１】図１は、本実施形態の納骨壇を一例として示す正面図である。
【図２】図２は、本実施形態の納骨壇を一例として示す平面図である。
【図３】図３は、両開き扉及び片開き扉を取り外した正面図である。
【図４】図４は、納骨壇の内部がわかるように、側板を取り外した側面図である。
【図４−１】図４−１は、棚板を示す正面図である。
【図４−２】、図４−２は棚板を示す側面図である。
【図５−１】図５−１は、下側に設置される引出しに所定の花立を設置した状態を示す平面図である。
【図５−２】図５−２は、下側に設置される引出しに設置した所定の花立に花を供えた状態のA-A‘側面図である。
【図６】図６は、本実施形態の納骨堂の一例を示す外観図である。
【図７】図７は、納骨堂の内部を一例として示す図である。
【図８】図８は、納骨壇を一例として３基連結した三連納骨壇を示す図である。
【考案を実施するための形態】
【０００８】
以下に、本考案の実施形態について、図に基づいて説明する。
図１及び図２は、本実施形態の納骨壇を一例として示す図であり、図１は正面図、図２は平面図である。
図１に示すように、本実施形態の納骨壇１０は、天板２、側板３、背面板４（図に現われない）及び底板５で構成され、立設したとき、高さが横幅の４倍以上となる縦長の箱体１と、箱体１の内部を佛壇１１（図に現われない）と２つの納骨室１２（図に現われない）とに区切る２枚の棚板６と、左右両方向に開閉自在で佛壇の正面を覆う両開き扉７と、片方向に開閉自在で、２つの納骨室それぞれを覆う大小２枚の片開き扉８と、を有する。
また、２枚の棚板６それぞれには、厚みの中央部分に所定の深さまで削り取られた溝（図に現れない）６ｂが設けてあり、その溝６ｂには、進退自在な引出板９（図に現れない）が嵌め込まれている。そして、下側の引出板９には、所定の花立を着脱自在に嵌め込む丸穴(図に現われない)９aが形成されている。
そして、納骨壇１０の左右には、立柱１３が設置され、地震等の際にも倒れないように納骨壇１０を支持している。
両開き扉７には、四隅に扉枠１４が設置され、中央には両開き扉７を開閉する把手１５のついた飾金具１６が設置されている。そして、右下には、両開き扉７をロックする仏壇用の鍵２０ａ（図示していない）が差し込まれる鍵穴１７がある。
また大小２枚の片開き扉８には、左側に片開き扉８をロックする納骨室用の鍵２０ｂ（図示していない）が差し込まれる鍵穴１７があり、大小２つの片開き扉８のうち、小さい方には、家名を書いた名札入れ１８が設けられ、大きい方の片開き扉８には、上部中央に一連の管理番号が付された銘板１９が設けてある。
【０００９】
ここで、仏壇用の鍵（図示していない）２０ａは、各家で保管管理し、納骨室用の鍵（図示していない）２０ｂは、寺など、納骨堂の運営主体が管理することにすれば、責任分担が明確になる。
また、納骨壇１０は、長期に亘って錆や腐食が生じないように、アルミニウム製で、箱体１の外壁、並びに両開き扉７及び片開き扉８が、ワインカラーに塗装され、扉の周囲は、金色で縁取られている。ただし、塗装の色や縁取りは、必ずしもこれらに限定されない。また、必ずしもアルミニウム製とする必要はなく、チタン製であってもよい。
さらに、図２に示すように、納骨壇１０の天面には、建造物の梁等に固定する耐震用のフック２１が設けてあり、両開き扉７、棚板６、及び片開き扉８は、面一になっており、両側の立柱１３は、納骨壇１０の前面よりも前方に突出している。
【００１０】
図３は、納骨壇の内部がわかるように、両開き扉及び片開き扉を取り外した正面図である。
図３に示すように、納骨壇１０は、上段に佛壇１１があり、その下の中段及び下段には、２枚の棚板６で仕切られた納骨室１２がある。
中段の納骨室１２ａは、骨壺が２体収容できる大きさになっており、下段の納骨室１２ｂは、さらに、２枚の仕切り板２８で、上中下３つの納骨室１２に仕切られている。そして、上中下３つの納骨室１２それぞれは、骨壺が２体ずつ収容できる大きさになっている。
棚板６は、厚み６aの中央部に溝（図に現われない）６ｂが設けてあり、その溝６ｂには花立を着脱自在にはめ込む穴（図に現われない）６ｂを設けた引出板９や、お供えなどを載せる、穴のない引出板９が進退自在に嵌め込まれている。
佛壇１１には、厨子２２が収容され、厨子２２の前方左右には輪灯２３が設置されている。
輪灯２３は、商用電源に接続され、両開き扉７の開閉がその電源のスイッチとなり、両開き扉７を開くと電源がＯＮになって点灯し、両開き扉７を閉じると電源がＯＦＦになって消灯するようになっている。
また、厨子２２は、小柱２４で支えられた屋根２５の下に祭壇２６が設けられ、中央には御本尊となる阿弥陀如来の掛図２７が掛けられている。
【００１１】
ここで、本実施形態において納骨壇１０を形成する箱体１は、天板２と側板３と底板５と背面板４により構成され、天板２は厚さが２０ｍｍ、幅が４３０ｍｍ、奥行きが３４６ｍｍであり、側板３は厚さが１５ｍｍ、幅が３４６ｍｍ、高さが１８７５ｍｍ、底板５は厚さが２５ｍｍ、幅が４３０ｍｍ、奥行きが３４６ｍｍである。従って、高さが幅の４倍以上になっている。
そして、棚板６は、厚み６aが６０ｍｍ、幅が４３０ｍｍ、奥行きが３４６ｍｍ、溝6ｂの幅が４３０ｍｍ、厚さが２０ｍｍ、奥行きが３１６ｍｍに設定されている。
また、中段の納骨室１２aの高さが２６５ｍｍ、下段の納骨室１２ｂの高さが８２５ｍｍで、下段の納骨室１２ｂは、厚さが１５ｍｍの仕切り板２８で３段に仕切られ、各納骨室１２の高さは２６５ｍｍに設定されている。
従って、上段の納骨室１２aには、２体の骨壺、下段の納骨室１２ｂには、６体の骨壺、合計８体の骨壺が収容可能になっている。
但し、ここで示した寸法は一例であって、必ずしもこれらの寸法に限定する必要はない。また、ここでは阿弥陀如来を御本尊として祀っているが、宗派に応じた御本尊を祀ることもできるし、位牌を設置することもできる。
【００１２】
図４は、納骨壇の内部がわかるように、側板を取り外した側面図である。また、図４−１及び図４−２は、棚板を示す図であり、図４−１は正面図、図４−２は側面図である。
図４に示すように、納骨壇１０には、上段に、輪灯２３が設置され、厨子２２が収納された佛壇１１がある。そして、その下には、２枚の棚板６で仕切られた中段の納骨室１２a
と下段の納骨室１２ｂとがあり、下段の納骨室１２ｂは、さらに、２枚の仕切り板２８で仕切られた、３つの納骨室１２がある。
仕切り板２８は、棚板６の三分の一程度の厚みのものを固定設置し、その前縁が片開き扉８よりも内側にあり、片開き扉８との間に隙間が生じるサイズとなっている。
また、仏壇１１の両開き扉７には、仏壇用の鍵２０aが差し込まれ、上段の納骨室１２a及び下段の納骨室１２ｂには納骨室用の鍵２０ｂが差し込まれている。
【００１３】
図４−１及び図４−２に示すように、棚板６は、厚み６aがあり、その厚み６aを三等分した中央部が納骨壇１０の奥行きの、略９０％に達するまで削り取られて溝６ｂが形成されている。そして、その溝６ｂには厚み６aの略三分の一の厚さの引出板９が進退自在に嵌め込まれている。
引出板９は、幅が納骨壇１０と略同じで、溝６ｂいっぱいまで押し込んだとき、引出板９の前縁が棚板６、及び片開き扉８と面一になるように、長さが設定されている。そして、引出板９の前縁には、つまみ２９が取り付けてある。
【００１４】
図５−１及び図５−２は、下側に設置される引出しに所定の花立を設置した状態を示す図であり、図５−１は平面図、図５−２は、所定の花立に花を供えた状態のA-A‘側面図である。
図５−１に示すように引出板９には、所定の大きさの２つの丸穴９aが左右に設けてある。その丸穴９aの径は、墓石用花立３３（本考案の「所定の花立」に相当する。以下同じ。）の円筒形の本体の外径よりも少し大きくて、太径の鍔部３３aよりも小さので、鍔部３３aが係止される大きさに設定されている。また、丸穴９aの位置は、幅方向、左右の前縁寄りに設けてあり、引出板９を溝６ｂに押し込んだときは丸穴９aが棚板６の溝６ｂに隠れるが、引出板９を溝６ｂから引き出したとき、丸穴９aが現れる。
従って、参拝するときは、つまみ２９を指で摘まんで引出板９を引き出し、例えば寺や納骨堂に常備されている墓石用花立３３をその丸穴９aに差し込んで、円筒形の本体に水を入れ、持参した花を生けることができる。
そのとき、墓石用花立３３は、丸穴９aにしっかりと保持されているので、例えば地震などがあったり、子供がいたずらをしたとしても墓石用花立３３が倒れる恐れがないので、安心して参拝することができる。
そして、参拝が終了したら、墓石用花立３３を丸穴９aから抜き出し、引出板９を溝６ｂに押し込んでおけば、納骨壇１０は、面一になり、出っ張り部分がないので、人がぶつかっても安全である。
図４では、墓石用花立３３を差し込む丸穴９aのある引出板９は下側の棚板６に嵌め込まれているが、参拝する人の身長に応じて、丸穴９aのある引出板９は、上側の棚板６に嵌め込み、下の棚板６には、丸穴９aのない引出板９を嵌め込んでお供えを載せることができる。
墓石用花立３３を保持する構造が、溝６ｂに収納された引出板９を引出したときに現われる位置に設けた丸穴９aであることから、長期に亘り使用しても破損する等の心配がない。
【００１５】
図６及び図７は、本実施形態の納骨壇が収容される納骨堂の一例を参考として示す図であり、図６は外観を示す図、図７は、内部を示す図である。
図６に示す納骨堂３０は、七間四方の２階建てコンクリート建造物であり、支持杭が地下の岩盤まで達した、コンパクトで簡素な耐震建造物である。入口は、図の右側にあり、各階には、複数の窓が設けてある。
図７に示すように、納骨堂３０の各フロアには、１４８基、合計２９６基の納骨壇１０が連結されて設置され、納骨壇１０は、柱及び梁でしっかりと固定されている。
【００１６】
図８は、納骨壇を一例として３基連結した三連納骨壇を示す図である。
図８に示す三連納骨壇３１は、それらの両端に立柱１３が設置され、両側から三連納骨壇３１を保持する一方、図２で示した耐震用フック２１でコンクリートの梁に支持されている。従って、長期に亘って使用できるように万全な耐震対策が採られている。
なお、底板５の下には３基の納骨壇１０に共通の台３２が設置され、その台３２には、高さを微調整するアジャスタ３３が設置されている。
ここで示す三連納骨壇３１は、高さが２０００ｍｍ、幅が１４８４ｍｍに設定されているが、必ずしもこれらの数値に限定する必要はない。
【符号の説明】
【００１７】
１  箱体
２  天板
３  側板
４  背面板
５  底板
６  棚板
６a  厚み
6b  溝
７  両開き扉
８  片開き扉
９  引出板
９a 丸穴
１０  納骨壇
１１  佛壇
１２  納骨室
１２a  中段の納骨室
１２ｂ  下段の納骨室
１３  立柱
１４  扉枠
１５  把手
１６  飾金具
１７  鍵穴
１８  名札入れ
１９  銘板
２０a  仏壇用の鍵
２０ｂ  納骨室用の鍵
２１  耐震用のフック
２２  厨子
２３  輪灯
２４  小柱
２５  屋根
２６  祭壇
２７  掛図
２８  仕切り板
２９  つまみ
３０  納骨堂
３１  三連納骨壇
３２  アジャスタ
３３  墓石用花立
３３a  鍔部
【図１】
0003221709.tif 000003
【図２】
0003221709.tif 000004
【図３】
0003221709.tif 000005
【図４】
0003221709.tif 000006
【図４−１】
0003221709.tif 000007
【図４−２】
0003221709.tif 000008
【図５−１】
0003221709.tif 000009
【図５−２】
0003221709.tif 000010
【図６】
0003221709.tif 000011
【図７】
0003221709.tif 000012
【図８】
0003221709.tif 000013